(57)【要約】【課題】光ディスク装置において部品点数を減少するとともに、トレイの変形を抑制する。【解決手段】光ディスクを回転駆動する回転駆動装置が設けられた駆動部支持部材と、光ディスクを載置状態に受容するトレイとを、同一部材により形成し、かつ一部を残してスリットにより分離する。スリットの延在方向の任意の箇所に駆動部支持部材とトレイとを連結する連結部を設ける。駆動部支持部材とトレイとを一体化した１部品として扱うことができ、部品点数を減少し得る。スリットにより分離することにより、回転駆動装置にディスクを押し込む装着を繰り返してもトレイの変形が防止され、長期に亘る使用においてトレイの変形が生じることがない。【選択図】図３
2014191834.tif 000002
【特許請求の範囲】
【請求項１】
光ディスクを回転駆動するための回転駆動装置及び光ピックアップ装置が設けられた駆動部支持部材と、前記光ディスクを載置状態に受容するトレイとを有する光ディスク装置であって、
前記トレイと前記駆動部支持部材とが同一部材により一体形成されているとともに、
前記トレイと前記駆動部支持部材とは、互いの境界に設けられた複数のスリットにより分離され、かつ前記複数のスリットの間に位置する複数の連結部により部分的に連結されていることを特徴とする光ディスク装置。
【請求項２】
前記複数の連結部の少なくとも１つがダンパ部材からなることを特徴とする請求項１に記載の光ディスク装置。
【請求項３】
前記ダンパ部材が、前記トレイに固定される固定部と、前記固定部から延出して前記駆動部支持部材に係合しかつ弾性変形可能なアーム部とを有することを特徴とする請求項２に記載の光ディスク装置。
【請求項４】
前記光ディスクを前記回転駆動装置に装着する際の押し込み力による前記アーム部の所定以上の変形を規制するストッパを有することを特徴とする請求項３に記載の光ディスク装置。
【請求項５】
前記駆動部支持部材が前記アーム部に向けて延出された係合片を有し、
前記アーム部が、前記光ディスクの回転方向両側で前記係合片と当接する一対の壁を有することを特徴とする請求項３または請求項４に記載の光ディスク装置。
【請求項６】
前記アーム部は、前記一対の壁によって画定された係合孔を有することを特徴とする請求項５に記載の光ディスク装置。
【発明の詳細な説明】
【技術分野】
【０００１】
本発明は、ＣＤ、ＤＶＤ及びＢｌｕ−ｒａｙ（登録商標）Ｄｉｓｃなどの光ディスクに対して情報の記録や読み取りを行うための光ピックアップ装置を備えた光ディスク装置に関する。
【背景技術】
【０００２】
従来、光ディスクに対して情報の記録や読み取りを行う光ディスク装置において、所謂ノートＰＣに対応するために薄型化が促進されているとともに、近年の高速回転化による振動抑制が要求されている。例えば、光ディスクを回転駆動するスピンドルモータや光ピックアップ装置が設けられている駆動部支持部材と、光ディスクを載置状態に受容する形状のトレイとを別部品として形成し、駆動部支持部材及びトレイをインシュレータを介して接続することにより、光ディスクの偏重心等により生じる駆動部支持部材の振動を吸収し得るようにしたものがあった（例えば特許文献１参照）。
【先行技術文献】
【特許文献】
【０００３】
【特許文献１】特開２０１０−１５６４９号公報
【発明の概要】
【発明が解決しようとする課題】
【０００４】
しかしながら、特許文献１のものでは、駆動部支持部材とトレイとが別々の部品として構成されているとともに、それらを接続する別部品のインシュレータを用いており、部品点数が多いという問題がある。さらに、部品管理及び組み立て工数が煩雑化するという問題があった。
【０００５】
部品点数を削減するためには駆動部支持部材とトレイとを合成樹脂の成形により一体物として形成することが考えられる。しかしながら、光ディスクをスピンドルモータに装着する場合にスピンドルモータのターンテーブルに光ディスクを押し込むようにすることから、光ディスクの着脱の繰り返しでトレイが変形することにより、トレイ上に設けられた光ピックアップ装置と、スピンドルモータのターンテーブルに取り付けられた光ディスクとの間の位置関係が変化し、光ディスクに対する読み書きが困難になる虞がある。
【０００６】
本発明は、このような従来技術の問題点を解消するべく案出されたものであり、その主な目的は、部品点数を減少するとともに、トレイの変形を抑制し得るように構成された光ディスク装置を提供することにある。
【課題を解決するための手段】
【０００７】
本発明の光ディスク装置は、光ディスクを回転駆動するための回転駆動装置及び光ピックアップ装置が設けられた駆動部支持部材と、前記光ディスクを載置状態に受容するトレイとを有する光ディスク装置であって、前記トレイと前記駆動部支持部材とが同一部材により一体形成されているとともに、前記トレイと前記駆動部支持部材とは、互いの境界に設けられた複数のスリットにより分離され、かつ前記複数のスリットの間に位置する複数の連結部により部分的に連結されている構成とする。
【発明の効果】
【０００８】
本発明によれば、光ディスクを回転駆動する回転駆動装置が設けられた駆動部支持部材と、光ディスクを載置状態に受容するトレイとが、同一部材として例えば合成樹脂材の成形加工により一体形成されることにより、駆動部支持部材とトレイとを一体化した１部品として扱うことができ、別々の部品として構成されたものに対して部品点数を減少し得る。そして、駆動部支持部材とトレイとの境界が複数のスリットにより分離されることにより、回転駆動装置にディスクを押し込む装着を繰り返してもトレイの変形が防止され、長期に亘る使用においてトレイの変形が生じることがない。また、複数のスリットを設けたことにより外部からの振動により駆動部支持部材が振動し易くなるが、複数のスリットの間に位置する連結部を介して駆動部支持部材とトレイとを連結したことから、連結部に振動吸収効果を持たせることにより、外部振動による駆動部支持部材の振動を抑制することができる。
【図面の簡単な説明】
【０００９】
【図１】実施形態に係る光ピックアップ装置を内蔵する光ディスク装置の斜視図
【図２】図１に示した光ディスク装置の内部構造を示す斜視図
【図３】光ディスク装置のトレイを示す平面図
【図４】図３のIV−IV線で破断して矢印方向に見た要部拡大断面図
【図５】第２の実施形態を示す図３に対応する図
【図６】トレイ及び駆動部支持部材へのダンパ部材の組み付け要領を示す要部拡大斜視図
【図７】ダンパ部材の図６の裏側から見た斜視図
【図８】図５のVII−VII線で破断して矢印方向に見た要部拡大側断面図
【図９】固定部の取付孔の軸線に直交する面で破断したダンパ部材の平断面図
【発明を実施するための形態】
【００１０】
前記課題を解決するためになされた第１の発明は、光ディスクを回転駆動するための回転駆動装置及び光ピックアップ装置が設けられた駆動部支持部材と、前記光ディスクを載置状態に受容するトレイとを有する光ディスク装置であって、前記トレイと前記駆動部支持部材とが同一部材により一体形成されているとともに、前記トレイと前記駆動部支持部材とは、互いの境界に設けられた複数のスリットにより分離され、かつ前記複数のスリットの間に位置する複数の連結部により部分的に連結されている構成とする。
【００１１】
これによると、光ディスクを回転駆動する回転駆動装置が設けられた駆動部支持部材と、光ディスクを載置状態に受容するトレイとが、同一部材として例えば合成樹脂材の成形加工により一体形成されることにより、駆動部支持部材とトレイとを一体化した１部品として扱うことができ、別々の部品として構成されたものに対して部品点数を減少し得る。そして、駆動部支持部材とトレイとの境界が複数のスリットにより分離されることにより、回転駆動装置にディスクを押し込む装着を繰り返してもトレイの変形が防止され、長期に亘る使用においてトレイの変形が生じることがない。また、複数のスリットを設けたことにより外部からの振動により駆動部支持部材が振動し易くなるが、複数のスリットの間に位置する連結部を介して駆動部支持部材とトレイとを連結したことから、連結部に振動吸収効果を持たせることにより、外部振動による駆動部支持部材の振動を抑制することができる。
【００１２】
また、第２の発明は、前記第１の発明において、前記複数の連結部の少なくとも１つがダンパ部材からなる構成とする。
【００１３】
これによると、制振効果の高いダンパ部材を設けることにより、より一層制振効果を高めることができる。
【００１４】
また、第３の発明は、前記第２の発明において、前記ダンパ部材が、前記トレイに固定される固定部と、前記固定部から延出して前記駆動部支持部材に係合しかつ弾性変形可能なアーム部とを有する構成とする。
【００１５】
これによると、駆動部支持部材は、回転駆動装置や光ピックアップ装置が設けられていることから、外力により振動した場合にトレイよりも減衰し難いため、ダンパ部材の固定部をトレイに固定し、弾性変形可能なアーム部を駆動部支持部材と係合させることにより、駆動部支持部材に対する振動減衰効果が大となる。
【００１６】
また、第４の発明は、前記第３の発明において、前記光ディスクを前記回転駆動装置に装着する際の押し込み力による前記アーム部の所定以上の変形を規制するストッパを有する構成とする。
【００１７】
これによると、ディスクを回転駆動部に装着する際の押し込み力が過大になっても、アーム部の押し込み方向の変位がストッパにより規制されるため、アーム部の過剰な変形が抑制され、ダンパ部材の減衰能力が長期に亘って確保される。
【００１８】
また、第５の発明は、前記第３または第４の発明において、前記駆動部支持部材が前記アーム部に向けて延出された係合片を有し、前記アーム部が、前記光ディスクの回転方向両側で前記係合片と当接する一対の壁を有する構成とする。
【００１９】
これによると、光ディスクの回転において偏重心等により振動が生じた場合に、その回転方向両側で駆動部支持部材の係合片とアーム部の一対の壁とが係合することから、光ディスクの回転方向に生じる振動を抑制し得る。
【００２０】
また、第６の発明は、前記第５の発明において、前記アーム部は、前記一対の壁によって画定された係合孔を有する構成とする。
【００２１】
これによると、駆動部支持部材に設けた係合片を係合孔に挿入させることにより、光ディスクの軸線方向両側に対しても係合片と係合孔とを係合させることができ、光ディスクの軸線方向に対しても制振力を発揮させることができる。
【００２２】
以下、本発明の実施の形態を、図面を参照しながら説明する。ここで、説明の便宜上、本発明に係る光ディスク装置における方向は、原則として図１等に示した矢印の方向に従うものとする。
【００２３】
図１は本発明に係る光ピックアップ装置を内蔵する光ディスク装置の斜視図であり、図２は図１に示した光ディスク装置の内部構造（筐体の上壁を取り外した状態）を示す斜視図である。
【００２４】
図１に示すように、光ディスク装置１は、扁平な筐体２の内部に円盤形の光ディスク（図示せず）を載置状態に受容するためのトレイ３が収容された構成を有しており、例えばＰＣ（Personal Computer）等の電子機器のドライブベイに搭載される。トレイ３は、略矩形平板状に形成され、筐体２の前側に形成された開口部２ａから前後方向に出没自在に設けられている。光ディスク装置１は、筐体２の後部に設けられた外部コネクタ（図示せず）を介して、光ディスク装置１が搭載される電子機器の電源ケーブルや信号ケーブルと接続され、これにより、電子機器との間で電力の授受や信号の送受信を可能としている。
【００２５】
図２に示すように、トレイ３には、光ディスクＯＤの外径よりも僅かに大きな外径の円形（より詳細には、左側の一部が直線的に切り欠かれた円形）の外周を有するディスク受容部１１が形成されている。トレイ３の中央部には、光ディスクＯＤを着脱可能かつ回転駆動するターンテーブルを同軸的に備える回転駆動装置としてのスピンドルモータ１２や、光ディスクＯＤの記録面に対してレーザ光を照射することにより情報の記録や読み取りを行う光ピックアップ装置１３等を備えた光ピックアップモジュール１４が配置されている。
【００２６】
なお、従来の光ディスク装置と同様に、光ピックアップモジュール１４において、光ピックアップ装置１３は、ディスク受容部１１に載置された光ディスクの半径方向に延在する一対のガイドシャフト１８，１９に沿って摺動自在に設けられており、光ピックアップ装置１３に設けられたラック部（図示せず）がモータ駆動されるスクリューシャフト（図示せず）と噛み合うことにより半径方向に往復移動可能である。
【００２７】
光ピックアップモジュール１４は、トレイ３のディスク受容部１１の中央部分から円形部分の外周に至るように延在する短冊状の駆動部支持部材１５に取り付けられている。駆動部支持部材１５は、光ピックアップ装置１３の上面側を覆うカバーを兼ねるとともに、光ディスクへのレーザ光の入射及び光ディスクからの反射光の受光に必要とされる構成のみを露出させるための開口部１５ｃを有する形状に形成されている。このように構成されたトレイ３と駆動部支持部材１５との境界３ｂに沿って、光ピックアップモジュール１４をＵ字状に外囲する複数のスリット２１が設けられており、複数のスリット２１によりトレイ３と駆動部支持部材１５とが略分離されている。
【００２８】
図３に併せて示されるように、スリット２１は、Ｕ字状の両端がディスク受容部１１の円形外周部近傍に位置し、Ｕ字状の湾曲部分がスピンドルモータ１２を半周分外囲するように形成されている。これにより、駆動部支持部材１５は、短冊状の長手方向一端部でトレイ３と一体化されており、トレイ３による片持ち支持状態に設けられている。複数のスリット２１の延在方向の適所には、図示例では５箇所に橋渡し形状に形成された連結部としての各つなぎ部２２が設けられている。トレイ３及び駆動部支持部材１５は、同一部材として例えば合成樹脂材を成形加工して形成される。つなぎ部２２は、スリット２１になる部分を抜いた形状とすることにより同時に形成される。
【００２９】
このように、例えば合成樹脂材の成形加工によりトレイ３と駆動部支持部材１５とを一体物として形成することにより、従来２部品として扱っていたものを１部品として扱うことができ、部品点数の削減により、部品管理の手間や組み立て工数を低減し得る。
【００３０】
また、トレイ３のディスク受容部１１及び駆動部支持部材１５は、下面側にリブを有する薄肉板状に形成されており、つなぎ部２２は、トレイ３（ディスク受容部１１）の薄肉板状部分の肉厚と同一の厚さで形成されている。トレイ３と駆動部支持部材１５とは、スリット２１により分離されているとともに、スリット２１を分断するように橋渡し状に設けられたつなぎ部２２を介して互いに部分的に結合されている。
【００３１】
駆動部支持部材１５がトレイ３と分離されていることから、光ディスクＯＤをスピンドルモータ１２のターンテーブルに押し込むようにして装着する時に、その押し込み力によりトレイ３が大きく変形することが抑制される。これにより、長期の使用においてもトレイ３の平面度が保持され、光ディスクＯＤを常に安定して回転駆動することができる。
【００３２】
光ディスクＯＤをスピンドルモータ１２により回転駆動することにより、光ディスクＯＤの偏重心等の影響により光ピックアップモジュール１４すなわち駆動部支持部材１５が振動する場合がある。トレイ３と駆動部支持部材１５とが一体に形成されていた場合には、トレイ３も駆動部支持部材１５と共に振動し、駆動部支持部材１５の振動が止まらず、光ディスクＯＤに対する記録や読み取りに支障を来す虞が生じる。
【００３３】
それに対して、本発明の光ディスク装置によれば、トレイ３と駆動部支持部材１５とがスリット２１により別部品と同様に分けられている。そして、両部材間が各スリット２１間となる境界３ｂの適所に設けたつなぎ部２２により連結されている。
【００３４】
図４は図３のIV−IV線で破断して矢印方向に見た要部拡大断面図を示す図である。図に示されるように、このつなぎ部２２の肉厚をある程度薄肉としておくことによりつなぎ部２２の弾性変形が可能となり、トレイ３と駆動部支持部材１５との間の振動伝達を減衰させることができ、つなぎ部２２が緩衝材として機能し得る。例えば、つなぎ部２２の形状（長さ・幅・肉厚）や配置（数・位置）を調整することにより、駆動部支持部材１５の振動を好適に吸収することができる。
【００３５】
図５は、第２の実施形態を示す図３に対応する図である。なお、図３と同様の部分には同一の符合を付してその詳しい説明を省略する。この第２の実施形態では、スリット２１は図３と同様に設けられているが、上記したつなぎ部２２は無く、代わりにＵ字状スリット２１の湾曲部分の頂点近傍に連結部としてのダンパ部材３１が設けられている。
【００３６】
図６はトレイ３及び駆動部支持部材１５へのダンパ部材３１の組み付け要領を示す要部拡大斜視図であり、図７はダンパ部材３１の図６の裏側から見た斜視図であり、図８は図５のVII−VII線で破断して矢印方向に見た要部拡大側断面図である。ダンパ部材３１は、図６〜図８に示されるように、Ｃ字状の固定部３２と、固定部３２のＣ字状開口側とは相反する側から半径方向外向きに延出されたアーム部３３とを有する。アーム部３３には、固定部３２のＣ字状形状の軸線に対して半径方向外向きに開口する係合部としての係合孔３４が設けられている。
【００３７】
図６に示されるように、トレイ３の裏面３ａには下方に向けて突設された円筒状ボス部３５が設けられている。このボス部３５に固定部３２のＣ字状円筒面からなる取付孔３２ａが同軸的に嵌装される。ボス部３５には、その突出方向端面に開口するねじ孔３５ａが形成されており、ねじ孔３５ａには図８に示されるように鍔付きねじ３６がねじ込まれる。ボス部３５の突出方向高さと固定部３２の厚さとが略同一とされ、取付孔３２ａをボス部３５に嵌装した状態で、ボス部３５及び固定部３２と、鍔付きねじ３６の鍔との間にストッパとしての板状体３８が挟持される。これにより、図８に示されるように鍔付きねじ３６をねじ孔３５ａにねじ込むことにより、板状体３８を介してダンパ部材３１の固定部３２がトレイ３に固定される。
【００３８】
一方、駆動部支持部材１５の下面側には、駆動部支持部材１５の外周に沿うように延在する下向きの周壁部１５ａが一体に形成されている。その周壁部１５ａのボス部３５に相対する部分には、ボス部３５に向けて開放された凹状の湾曲形状に形成された凹設部１５ｂが設けられている。凹設部１５ｂには、その奥の壁面からボス部３５に向けて延出された舌片状の係合片３７が設けられている。
【００３９】
アーム部３３には光ディスクＯＤの回転方向両側で係合片３７が当接する一対の壁部３３ａが設けられており、一対の壁部３３ａ間により係合孔３４の幅が画定されている。そして、係合孔３４の断面形状と係合片３７の断面形状は略同一形状に形成されているとよく、それにより、ダンパ部材３１の固定部３２がボス部３５に固定された状態で、係合孔３４に係合片３７が密接状態に挿入される。なお、ダンパ部材３１は、ゴムまたはエラストマからなり、弾性変形可能であることから、図６の矢印に示されるように、固定部３２のボス部３５への嵌装と併せて係合孔３４への係合片３７の挿入作業を何等問題無く行うことができる。
【００４０】
また、駆動部支持部材１５は、スリット２１のＵ字状における両端側を基部としてトレイ３により片持ち支持されている。これにより、駆動部支持部材１５とトレイ３とを完全に分離した構成の場合には２部品となるのに対して、同一部材から成形加工して駆動部支持部材１５とトレイ３とを１部品として形成することができ、部品点数を減らすことができる。
【００４１】
一方、駆動部支持部材１５が上記片持ち支持状態により、光ディスクＯＤをスピンドルモータ１２のターンテーブルに装着する際に押し込むことにより駆動部支持部材１５が撓み、トレイ３の変形が防止される。一方、駆動部支持部材１５の遊端部がダンパ部材３１を介してトレイ３と連結されていることから、駆動部支持部材１５の過度な撓みを抑制し得る。また、ダンパ部材３１の弾性復元力をもって支持することにより、駆動部支持部材１５を所定位置に維持させることができる。
【００４２】
ダンパ部材３１には、図７に示されるように、固定部３２の図に示される下側の面に、取付孔３２ａを外囲するようにＣ字状に延在するリブ３１ａが設けられているとともに、アーム部３３の同じ側の面にもリブ３１ａの外側で円弧状に延在するリブ３１ｂが設けられている。これらリブ３１ａ・３１ｂは、上記したダンパ部材３１の組み付け状態で、図８に示されるようにトレイ３及び駆動部支持部材１５の下側を覆う板状体３８に当接する。これにより、ダンパ部材３１の下側方向変位の位置が規制され、過大な押し込み力により大きく変位することが防止され、ダンパ部材３１に無理な力が加わることが防止されるため、ダンパ部材３１の適切な減衰能力が長期に亘って確保される。
【００４３】
また、アーム部３３は、図８に示されるように、係合孔３４を挟んで図における上側の上側部分３３ｂの体積が下側部分３３ｃよりも大きくなるように形成されている。これにより、係合片３７が上下方向に振動した場合に、上側部分３３ｂと下側部分３３ｃとのマスの違いにより駆動部支持部材１５の制振が効果的に行われる。
【００４４】
図９は固定部３２の取付孔３２ａの軸線に直交する面で破断したダンパ部材３１の平断面図である。図９に示されるように、係合孔３４の幅ｂは係合片３７の幅と略同一長さであり、図８に示されるように係合孔３４の高さｈは係合片３７の厚さ（高さ）と略同一長さである。なお、光ディスクＯＤの回転時におけるその回転方向への駆動部支持部材１５の変位をある程度許容するべく、凹設部１５ｂの両側面間はアーム部３３の対応する方向の幅よりも所定量拡幅されている。
【００４５】
上記したように駆動部支持部材１５とトレイ３とがスリット２１により略分離されていることにより、駆動部支持部材１５側からの振動がトレイ３側に伝達され難くなり、偏重心等が生じている光ディスクＯＤを回転させた時の振動がトレイ３全体に伝達されることを抑制することができる。一方、片持ち支持状態の駆動部支持部材１５において最大に変位し得る遊端部をダンパ部材３１により支持することにより、スリット２１を長くして分離範囲が大きくなっても安定した支持状態が得られ、長いスリット２１により駆動部支持部材１５とトレイ３とを広い範囲で分離状態にすることができ、振動が伝わり難くすることができる。
【００４６】
また、上記したように係合孔３４に係合片３７が密接状態に挿入されていることから、駆動部支持部材１５側の振動により係合片３７が例えば図９の矢印Ａに示されるように光ディスクＯＤの回転方向に相対変位した場合に、係合孔３４を有するアーム部３３が追従して変位する。上記したように、係合片３７が係合孔３４の一対の壁部３３ａに当接することから、光ディスクＯＤの回転方向に生じる振動を抑制し得る。また、係合孔３４の上下の壁でも係合片３７と当接し得ることから、光ディスクＯＤの軸線方向への振動が生じても制振効果を発揮し得る。
【００４７】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。また、上記実施形態に示した構成要素は必ずしも全てが必須なものではなく、本発明の趣旨を逸脱しない限りにおいて適宜取捨選択することが可能である。
【産業上の利用可能性】
【００４８】
本発明にかかる光ディスク装置は、部品点数の削減及びトレイの変形抑制の効果を有し、ＰＣ等に装着される光ディスク装置として有用である。
【符号の説明】
【００４９】
１  光ディスク装置
３  トレイ
１２  スピンドルモータ
１３  光ピックアップ装置
１５  駆動部支持部材
２１  スリット
２２  つなぎ部
３１  ダンパ部材
３２  固定部
３３  アーム部
３４  係合孔
３７  係合片
３８  板状体
【図１】
2014191834.tif 000003
【図２】
2014191834.tif 000004
【図３】
2014191834.tif 000005
【図４】
2014191834.tif 000006
【図５】
2014191834.tif 000007
【図６】
2014191834.tif 000008
【図７】
2014191834.tif 000009
【図８】
2014191834.tif 000010
【図９】
2014191834.tif 000011